【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
携帯コンピュータ機器のための光コントローラシステムであって、
前記光コントローラシステムは、
前記コンピュータ機器における周辺光レベルを決定するための光センサ（１６２）と、
前記携帯コンピュータ機器におけるディスプレイデバイス（１２２）に結合された光コントローラ（１８４）と
を含み、
前記携帯コンピュータ機器におけるデータ入力デバイス（１３２）および前記光センサ（１６２）は、ディスプレイライト（１８２）および前記データ入力デバイスのバックライト（１８３）が発する光の強度を、前記ディスプレイライト（１８２）がオフにされ、かつ、前記データ入力デバイス（１３２）においてデータ入力が受信された後、測定された周辺光の強度に従って設定し、
前記光コントローラ（１８４）は、
（ｉ）前記測定された周辺光の強度が第１の閾値よりも大きい場合には、前記ディスプレイライトが発する光の強度を第１の強度に設定することと、
（ｉｉ）前記測定された周辺光の強度が前記第１の閾値よりも大きくない場合には、前記ディスプレイライトが発する光の強度を第２の強度に設定することと、
（ｉｉｉ）前記測定された周辺光の強度が第２の閾値よりも小さい場合には、前記ディスプレイライトが発する光の強度を前記第２の強度よりも小さい第３の強度に設定することであって、前記第２の閾値は、前記第１の閾値よりも小さい、ことと
を行うように構成されており、
前記光コントローラは、前記測定された周辺光の強度が前記第２の閾値よりも大きい場合には、第１のキーボード強度にて前記データ入力デバイスを照らし、前記測定された周辺光の強度が前記第２の閾値よりも小さい場合には、前記第１のキーボード強度よりも小さい第２のキーボード強度にて前記データ入力デバイスを照らすように、前記データ入力デバイスのためのバックライトを制御するようにさらに構成されており、
前記ディスプレイデバイス（１２２）が透過型液晶ディスプレイである場合には、前記第１の強度は、前記ディスプレイライトのためのオーバードライブ強度レベルであり、前記第２の強度は、前記第１の強度よりも小さく、
前記ディスプレイデバイスが反射型液晶ディスプレイまたは半透過型液晶ディスプレイである場合には、前記第１の強度は、前記ディスプレイライトのための通常の強度レベルであり、かつ、前記第３の強度および前記オーバードライブ強度レベルよりも小さい、光コントローラシステム。
【請求項２】
前記光コントローラ（１８４）は、前記コンピュータ機器において動作のない期間の後、設定された強度を徐々に減少させるように構成されている、請求項１に記載の光コントローラシステム。
【請求項３】
前記ディスプレイデバイス（１２２）が透過型液晶ディスプレイを含む場合には、前記第１の閾値は、夕暮れの照度レベルよりも大きく、前記第２の閾値は、前記夕暮れの照度レベルと夜間の照度レベルとの間にある、請求項１または請求項２に記載の光コントローラシステム。
【請求項４】
前記第１の閾値は、直射日光に対応する照度レベルであり、前記第１の強度は、前記ディスプレイがオーバードライブされる強度である、請求項３に記載の光コントローラシステム。
【請求項５】
前記ディスプレイデバイス（１２２）は、反射型液晶ディスプレイおよび半透過型ＬＣＤディスプレイのうちの１つを含み、前記第２の閾値は、夕暮れの照度レベルと夜間の照度レベルとの間にあり、前記第１の閾値は、前記夕暮れの照度レベルと日照時の照度レベルとの間にある、請求項２に記載の光コントローラシステム。
【請求項６】
前記光コントローラ（１８４）は、前記決定された周辺光レベルが前記第１の閾値よりも大きい場合には、第２のキーボード強度よりも小さい第３のキーボード強度にて前記データ入力デバイス（１３２）を照らすように構成されている、請求項１に記載の光コントローラシステム。
【請求項７】
第３のキーボード強度は、オフである、請求項６に記載の光コントローラシステム。
【請求項８】
強度可変式のライト（１８２）を有するディスプレイデバイス（１２２）と、バックライト付きデータ入力デバイス（１３２）と、光センサ（１６２）と、前記光センサ（１６２)、前記データ入力デバイス（１３２）、前記ディスプレイデバイス（１２２）に結合された光コントローラ（１８４）とを含む携帯コンピュータ機器において、ディスプレイライト（１８２）および前記データ入力デバイスのバックライト（１８３）によって生成される光の強度を制御するための方法であって、
前記方法は、
前記ディスプレイライト（１８２）がオフの場合には、前記データ入力デバイス（１３２）において受信されるデータ入力を待機するステップと、
その後、前記光センサ（１６２）により、前記コンピュータ機器における周辺光の強度を決定するステップと、
前記光コントローラ（１８４）が、周辺光の強度に従って、第１のバックライトによって生成される光の強度を自動的に調節するステップであって、
前記光の強度を自動的に調節するステップは、
前記第１のバックライトによって生成される光の強度を、
周辺光レベルの強度が第１の閾値よりも大きい場合に、第１の強度、または、
周辺光レベルの強度が第２の閾値よりも小さい場合に、第２の強度、または、
周辺光レベルの強度が第２の閾値よりも小さい場合に、前記第２の強度よりも小さい第３の強度
のうちの１つに設定することと、
前記第２のバックライトによって生成される光の強度を、
周辺光の強度が前記第２の閾値よりも小さい場合に、第１のキーボード強度、または、
周辺光の強度が前記第２の閾値よりも小さい場合に、前記第１のキーボード強度よりも小さい第２のキーボード強度
に設定することであって、前記第２の閾値は、前記第１の閾値よりも小さい、ことと
によって行われる、ステップと
を含み、
前記ディスプレイデバイス（１２２）が透過型液晶ディスプレイである場合には、前記第１の強度は、前記第１のバックライトのためのオーバードライブ強度レベルであり、前記第２の強度は、前記第１の強度よりも小さく、
前記ディスプレイデバイスが反射型液晶ディスプレイまたは半透過型液晶ディスプレイである場合には、前記第１の強度は、前記第１のバックライトのための通常の強度レベルであり、かつ、前記第３の強度および前記オーバードライブ強度レベルよりも小さい、方法。
【請求項９】
前記光の強度を調節するステップは、前記コンピュータ機器において動作のない期間の後、設定された強度を徐々に減少させるステップをさらに含む、請求項８に記載の方法。
【請求項１０】
前記ディスプレイデバイス（１２２）が透過型液晶ディスプレイを含む場合には、前記第１の閾値は、日照時の照度レベルと夕暮れの照度レベルとの間にあり、前記第２の閾値は、夕暮れの照度レベルと夜間の照度レベルとの間にある、請求項８または請求項９に記載の方法。
【請求項１１】
前記第１の強度は、前記ディスプレイライトがオーバードライブされる強度レベルである、請求項１０に記載の方法。
【請求項１２】
前記ディスプレイデバイス（１２２）は、反射型液晶ディスプレイおよび半透過型ＬＣＤディスプレイのうちの１つを含み、前記第２の閾値は、夕暮れの照度レベルと夜間の照度レベルとの間にあり、前記第１の閾値は、夕暮れの照度レベルと日照時の照度レベルとの間にある、請求項８または請求項９に記載の方法。
【請求項１３】
前記光の強度を調節するステップは、前記決定された周辺光レベルが前記第１の閾値よりも大きい場合には、前記第２のキーボード強度よりも小さい第３のキーボード強度にて前記データ入力デバイス（１３２）を照らすステップをさらに含む、請求項８に記載の方法。
【請求項１４】
前記閾値および／または強度のうちの少なくとも１つは、ユーザによって構成可能である、請求項８〜１３のいずれか一項に記載の方法。
【請求項１５】
請求項１〜７のいずれか一項に記載の携帯コンピュータ機器の処理ユニットのためのコンピュータ処理命令手段を含むコンピュータ読み取り可能な媒体であって、
前記コンピュータ処理命令手段は、前記処理ユニットによって実行された場合に、請求項８〜１４のいずれか一項に記載の方法のステップを実行することを前記携帯コンピュータ機器に行わせ、
前記光コントローラは、前記コンピュータ処理命令手段において具現化されている、コンピュータ読み取り可能な媒体。